(57)【特許請求の範囲】
【請求項１】
店舗什器の支持棒に嵌め入れて取り付ける台座部(1)と、その上部に一体に設けられたクリップ部(2)とから成り、クリップ部(2)は、前後に間隔をあけて対向する挟持板(3,4)を備え、その間にＰＯＰカードが差し込まれるものとし、一方の挟持板(3)には、他方の挟持板(4)へ向けて複数の上部から下部へかけて他方の挟持板(4)の方向へ迫り出す側面視三角形状とされた挟持爪(5)が左右方向に間隔をあけて並ぶように突設されると共に、挟持爪(5)の基部周辺を切り込んで弾性変形に伴い前後方向に撓む舌片部(6)が形成され、一方の挟持板(3)の両側には、他方の挟持板(4)へ向けてクリップ部(2)の底部から立ち上がる側壁(3a)が設けられ、側壁(3a)の上部は、挟持爪(5)と同方向に傾斜するように切断され、他方の挟持板(4)には、挟持爪(5)に対応して開口部(7)が設けられ、舌片部(6)が撓んでいない状態では、挟持爪(5)が開口部(7)に進入しており、ＰＯＰカードで挟持爪(5)が押されると、挟持爪(5)が開口部(7)から退出する方向へ舌片部(6)が撓むようにしたＰＯＰカード用アタッチメント。
【請求項２】
前記台座部(1)は、クリップ部(2)の底部を受ける基盤壁(11)の両側から下方へ向かう側壁(12)と、側壁(12)の下端部から内側方へ向かう内向壁(13)と、内向壁(13)の内端部から上方へ向かう上向壁(14)と、上向壁(14)の上端部から斜め外側上方へ向かう斜向壁(15)とを備え、側壁(12)が弾性変形に伴い内外方向へ撓むようにし、対向する上向壁(14)の間から支持棒を挿入すると、斜向壁(15)が支持棒の外周面の両側下部に接すると共に、基盤壁(11)の裏面から下方へ突出したリブ(16,17)が支持棒の外周面の上部に接するようにした請求項１に記載のＰＯＰカード用アタッチメント。
【発明の詳細な説明】
【技術分野】
【０００１】
この発明は、店舗什器の支持棒に取り付けてＰＯＰカードを保持するＰＯＰカード用アタッチメントに関するものである。
【背景技術】
【０００２】
一般に、各種量販店等の店舗においては、展示する商品に近接して、商品のイメージを表現したイラストや写真、商品名やキャッチコピー等を表示したＰＯＰカードが掲出される。このようなＰＯＰカードを起立状態に保持するため、商品展示用の店舗什器の支持棒を利用することが考えられ、支持棒にＰＯＰカードを取り付けるアタッチメントとして、下記特許文献１には、図８に示すようなものが記載されている。
【０００３】
このアタッチメントＢは、ゴムを材料とし、分割構造とされたスタンド本体５１で支持棒４０を挟み込み、スタンド本体５１にスタンドケース５２を被せ、その締付力で支持棒４０に固定し、上面の凹溝５３にＰＯＰカード３０を差し込むと、ＰＯＰカード３０の厚さより溝幅が小さい凹溝５３の内側面がＰＯＰカード３０の両面に圧接して、ＰＯＰカード３０が保持されるようにしたものである。
【先行技術文献】
【特許文献】
【０００４】
【特許文献１】特開２００６−３５８７号公報
【発明の概要】
【発明が解決しようとする課題】
【０００５】
しかしながら、ＰＯＰカードには様々な厚さのものがあり、店舗什器の支持棒にも様々な直径のものがあるところ、上記のようなアタッチメントでは、保持できるＰＯＰカードの厚さや取り付けられる支持棒の直径が限定され、汎用性に乏しいという問題がある。
【０００６】
そこで、この発明は、様々な厚さのＰＯＰカードを安定して保持でき、直径の異なる支持棒に取り付け可能なＰＯＰカード用アタッチメントを提供することを課題とする。
【課題を解決するための手段】
【０００７】
上記課題に鑑み、この発明に係るＰＯＰカード用アタッチメントは、ＰＯＰカードの厚さの相違に対する適応性を高めるため、店舗什器の支持棒に嵌め入れて取り付ける台座部と、その上部に一体に設けられたクリップ部とから成り、クリップ部は、前後に間隔をあけて対向する挟持板を備え、その間にＰＯＰカードが差し込まれるものとし、一方の挟持板には、他方の挟持板へ向けて複数の挟持爪が左右方向に間隔をあけて並ぶように突設されると共に、挟持爪の基部周辺を切り込んで弾性変形に伴い前後方向に撓む舌片部が形成され、他方の挟持板には、挟持爪に対応して開口部が設けられ、舌片部が撓んでいない状態では、挟持爪が開口部に進入しており、ＰＯＰカードで挟持爪が押されると、挟持爪が開口部から退出する方向へ舌片部が撓むようにしたのである。
【０００８】
また、支持棒の直径の相違に対する適応性を高めるため、前記台座部は、クリップ部の底部を受ける基盤壁の両側から下方へ向かう側壁と、側壁の下端部から内側方へ向かう内向壁と、内向壁の内端部から上方へ向かう上向壁と、上向壁の上端部から斜め外側上方へ向かう斜向壁とを備え、側壁が弾性変形に伴い内外方向へ撓むようにし、対向する上向壁の間から支持棒を挿入すると、斜向壁が支持棒の外周面の両側下部に接すると共に、基盤壁の裏面から下方へ突出したリブが支持棒の外周面の上部に接するようにしたのである。
【発明の効果】
【０００９】
この発明に係るＰＯＰカード用アタッチメントでは、台座部を支持棒に嵌め入れた状態で、段ボール等の厚いＰＯＰカードをクリップ部の対向する挟持板の間に差し込むと、ＰＯＰカードで一方の挟持板の挟持爪が押されて、他方の挟持板の開口部から挟持爪が退出する方向へ舌片部が撓み、他方の挟持板の内面と挟持爪とでＰＯＰカードが挟まれてしっかりと保持される。
【００１０】
また、単紙等の薄いＰＯＰカードをクリップ部の対向する挟持板の間に差し込むと、舌片部が殆ど撓むことなく、挟持爪が他方の挟持板の開口部に進入したままの状態となり、他方の挟持板の内面と挟持爪とでＰＯＰカードが挟まれてしっかりと保持される。
【００１１】
また、ＰＯＰカードを押さえる挟持爪が左右方向に間隔をあけて複数並んでいるので、対向する挟持板に差し込んだＰＯＰカードが一つの挟持爪に押さえられた部分を中心として回転することもない。
【００１２】
このように、支持棒に簡単に取り付けて、段ボールから単紙まで様々な厚さのＰＯＰカードを安定して保持することができ、優れた販売促進効果を得ることができる。
【００１３】
また、台座部の対向する上向壁の間から支持棒を挿入する際、側壁が外側へ撓んで上向壁の間隔が開くので、支持棒を容易に挿入でき、挿入した支持棒が斜向壁の上方へ達すると、側壁の復元に伴い、斜向壁が支持棒の外周面の両側下部に接すると共に、基盤壁の裏面から下方へ突出したリブに支持棒の外周面の上部が圧接するので、支持棒に対するアタッチメントの回転が防止される。
【００１４】
このため、異なる直径の支持棒にも取り付けられ、１個のアタッチメントだけでＰＯＰカードを保持する場合でも、ＰＯＰカードを正立状態に維持できる。
【図面の簡単な説明】
【００１５】
【図１】この発明の実施形態に係るアタッチメントにより段ボール等の厚いＰＯＰカードを保持した状態を示す斜視図
【図２】同上のアタッチメントにより単紙等の薄いＰＯＰカードを保持した状態を示す斜視図
【図３】同上のアタッチメントを前上方から見た斜視図
【図４】同上のアタッチメントを前下方から見た斜視図
【図５】同上のアタッチメントの前面図
【図６】同上の厚いＰＯＰカードの差込状態を図５のＶ−Ｖ断面で示す拡大図
【図７】同上の薄いＰＯＰカードの差込状態を図５のＶ−Ｖ断面で示す拡大図
【図８】特許文献１に記載されたアタッチメントによりＰＯＰカードを保持した状態を示す斜視図
【発明を実施するための形態】
【００１６】
以下、この発明の実施形態を添付図面に基づいて説明する。
【００１７】
図１及び図２に示すように、このアタッチメントＡは、店舗什器の支持棒４０に取り付けた状態で、ＰＯＰカード３０を保持するものであり、ポリカーボネイト等のプラスチックを材料として成形されている。支持棒４０は、商品Ｇを吊り掛ける支持棒４１の上方に設けられ、支持棒４１と共に前後方向に延びるものである。
【００１８】
図１に示す展示形態の例では、隣り合う２本の支持棒４０を利用し、その先端からやや後方へ離れた位置にアタッチメントＡがそれぞれ取り付けられ、２個のアタッチメントＡに渡して、段ボール等から成る大きく厚いＰＯＰカード３０が保持される。この場合、支持棒４０の先端には、価格を表示したプレート４２が取り付けられる。
【００１９】
また、図２に示す展示形態の例では、支持棒４０の先端寄りの部分にアタッチメントＡが取り付けられて、単紙等から成る小さく薄いＰＯＰカード３０がアタッチメントＡにより保持される。ＰＯＰカード３０は、前面の表示部から後下方へ折り曲げられた付属片がアタッチメントＡに差し込まれる。
【００２０】
このように使用されるアタッチメントＡは、図３〜図５に示すように、支持棒４０に嵌め入れて取り付ける台座部１と、ＰＯＰカード３０を上方から差し込んで保持するクリップ部２とから成り、台座部１の上部にクリップ部２を一体に設けたものとされている。
【００２１】
クリップ部２は、前後に間隔をあけて対向する挟持板３，４を備え、その間にＰＯＰカード３０が差し込まれるものとされている。アタッチメントＡの支持棒４０への標準的な取付状態では、挟持板３が後方となり、挟持板４が前方となる。
【００２２】
後方の挟持板３には、前方の挟持板４へ向けて、２個の挟持爪５が左右方向に間隔をあけて並ぶように突設されている。挟持爪５は、上部から下部へかけて前方へ迫り出す側面視三角形状とされ、前面下部が垂直となり、挟持爪５の前面には、ＰＯＰカード３０が滑らないように、幅方向の突条が多数形成されている。
【００２３】
挟持爪５の下側の基部周辺には、Ｕ字状の切込により、弾性変形に伴い前後方向に撓む舌片部６が形成されている。
【００２４】
前方の挟持板４には、挟持爪５に対応して２個の開口部７が設けられ、舌片部６が撓んでいない状態では、挟持爪５の前面下部が開口部７に進入した状態となっている。
【００２５】
後方の挟持板３の両側には、前方へ向けて側壁３ａが設けられ、前方の挟持板４と側壁３ａの間隙にＰＯＰカード３０が差し込まれる。側壁３ａは、クリップ部２の底部から立ち上がり、挟持板３の前後方向の揺動を防止すると共に、差込可能なＰＯＰカード３０の最大厚さを規制している。側壁３ａの上部は、ＰＯＰカード３０の挿入を誘導するため、挟持爪５と同様、斜めに切断されている。
【００２６】
前方の挟持板４の正面側となる外面の両側寄り部分には、上部から下部へかけて前方へ迫り出す側面視三角形状の補強壁４ａが設けられている。補強壁４ａは、クリップ部２の底部から立ち上がり、挟持板４の前後方向の揺動を防止している。
【００２７】
台座部１は、クリップ部２の底壁の一部を兼ねる基盤壁１１と、基盤壁１１の両側から下方へ向かう側壁１２と、側壁１２の下端部から内側方へ向かう内向壁１３と、内向壁１３の内端部から上方へ向かう上向壁１４と、上向壁１４の上端部から斜め外側上方へ向かう斜向壁１５とを備えている。
【００２８】
側壁１２は、弾性変形に伴い下部が内外方向へ撓むものとされ、側壁１２が外側へ撓むと、対向する上向壁１４の間隔が開き、その間に支持棒４０を挿入できるようになる。なお、側壁１２が撓み易くなるように、側壁１２の外側面には弧状に抉られた凹入部１２ａが形成されており、高さ方向中間部で側壁１２の厚さが薄くなっている。
【００２９】
また、基盤壁１１の下向きとなる裏面には、前後方向に延びる長いリブ１６と、その中間部でこれと直交する短いリブ１７とが下方へ突出するように設けられている。リブ１７の下面は、支持棒４０の外周面に対応して弧状に湾曲し、その湾曲面には、リブ１６の先端部に対応する半円状の突起１７ａが設けられている。
【００３０】
また、内向壁１３の内端側には、対向する上向壁１４に挟まれた開口部に臨んで、支持棒４０を案内するように内側面が傾斜したガイド片１８が設けられている。
【００３１】
上記のようなアタッチメントＡを店舗での商品展示に使用する際には、まず、アタッチメントＡを店舗什器の支持棒４０に取り付けるため、対向する上向壁１４に挟まれた開口部から支持棒４０を挿入する。このとき、支持棒４０がガイド片１８の内側面に沿って開口部に誘導され、側壁１２が外側へ撓んで上向壁１４の間隔が開くので、支持棒４０を対向する上向壁１４の間に容易に挿入できる（図５参照）。
【００３２】
そして、支持棒４０の挿入が進行し、支持棒４０が斜向壁１５の上方へ達すると、側壁１２の復元に伴い、斜向壁１５が支持棒４０の外周面の両側下部に接すると共に、基盤壁１１の裏面から下方へ突出したリブ１６の先端部とリブ１７の突起１７ａとが支持棒４０の外周面の上部に接する。
【００３３】
これにより、支持棒４０の外周面と斜向壁１５及びリブ１６，１７との間に大きな摩擦力が作用し、支持棒４０に対するアタッチメントＡの回転が防止される。また、支持棒４０の直径が少々違っていても、同様の効果が得られる。
【００３４】
上記のようなアタッチメントＡでは、台座部１を支持棒４０に嵌め入れた状態で、図１及び図６に示すように、段ボール等の厚いＰＯＰカード３０をクリップ部２の対向する挟持板３，４の間に差し込むと、ＰＯＰカード３０で挟持爪５が押されて、開口部７から挟持爪５が退出する方向へ舌片部６が撓み、挟持板４の内面と挟持爪５とでＰＯＰカード３０が挟まれてしっかりと保持される。
【００３５】
また、図２及び図７に示すように、単紙等の薄いＰＯＰカード３０をクリップ部２の対向する挟持板３，４の間に差し込むと、舌片部６が殆ど撓むことなく、挟持爪５が開口部７に進入したままの状態となり、挟持板４の内面と挟持爪５とでＰＯＰカード３０が挟まれてしっかりと保持される。
【００３６】
このように、上記アタッチメントＡは、支持棒４０に簡単に取り付けて、段ボールから単紙まで様々な厚さのＰＯＰカード３０を安定して保持することができるので、店舗に多種のアタッチメントを用意しなくても、様々な厚さや大きさのＰＯＰカード３０を商品の付近に立てかけて、優れた販売促進効果を得ることができる。
【００３７】
また、図２及び図７に示すように、１個のアタッチメントＡだけでＰＯＰカード３０を保持する場合でも、支持棒４０に対するアタッチメントＡの回転が防止され、さらに、挟持爪５が左右方向に間隔をあけて２個並んでいるので、ＰＯＰカード３０が一つの挟持爪に押さえられた部分を中心として回転してしまうこともなく、ＰＯＰカード３０を正立状態に維持できる。
【００３８】
なお、上記実施形態では、アタッチメントＡを、挟持板３が後方となり、挟持板４が前方となる方向へ向けて支持棒４０に取り付ける場合について例示したが、アタッチメントＡは、挟持爪５を有する挟持板３が前方となり、開口部７を有する挟持板４が後方となる方向へ向けて、支持棒４０に取り付けるようにしてもよい。
【００３９】
また、開口部７として、挟持板４の内面から外面まで貫通するものを例示したが、開口部７は、挟持板４の外面まで貫通せず、内面に凹所を形成するものとしてもよい。
【符号の説明】
【００４０】
Ａ  アタッチメント
Ｇ  商品
１  台座部
２  クリップ部
３，４  挟持板
３ａ  側壁
４ａ  補強壁
５  挟持爪
６  舌片部
７  開口部
１１  基盤壁
１２  側壁
１２ａ  凹入部
１３  内向壁
１４  上向壁
１５  斜向壁
１６，１７  リブ
１７ａ  突起
１８  ガイド片
３０  ＰＯＰカード
４０，４１  支持棒
４２  プレート
【図１】
0006567283.tif 000002
【図２】
0006567283.tif 000003
【図３】
0006567283.tif 000004
【図４】
0006567283.tif 000005
【図５】
0006567283.tif 000006
【図６】
0006567283.tif 000007
【図７】
0006567283.tif 000008
【図８】
0006567283.tif 000009